(57)【特許請求の範囲】
【請求項１】
入力端末を介してアイテムの形状データを取り込む第１工程と、
前記形状データに基づいて、前記入力端末に入力された前記アイテムの形状及び寸法を認識する第２工程と、
認識された前記アイテムの形状及び寸法に基づいて、前記アイテムを製造する際に選択し得る公差を含む製造条件を取得する第３工程と、
前記製造条件を選択可能に表示端末に表示するとともに、表示された前記製造条件に対応する価格又は納期と、寸法及び公差を付した前記アイテムの３Ｄモデルとを前記表示端末に表示する第４工程と、
前記入力端末を介して選択された前記製造条件に応じて、前記表示端末に表示される前記価格又は前記納期と、前記３Ｄモデルに付された寸法及び公差とを更新する第５工程と
を備えることを特徴とする自動見積り方法。
【請求項２】
請求項１に記載の自動見積り方法であって、
前記第３工程で、認識された前記アイテムの形状に基づいて、前記アイテムを製造する際に選択し得る製造条件、及び、前記製造条件に対応する前記価格又は前記納期の全てを取得することを特徴とする自動見積り方法。
【請求項３】
請求項１又は請求項２に記載の自動見積り方法であって、
前記第５工程で、選択された前記製造条件を記憶し、
次回の第４工程で、前記表示端末に選択可能に表示させる前記製造条件として、前記第５工程で記憶された前記製造条件を用いることを特徴とする自動見積り方法。
【請求項４】
請求項１〜請求項３のいずれか１項に記載の自動見積り方法であって、
前記第３工程で、認識された前記アイテムの形状に基づいて、前記製造条件の一部のみを満足する又は前記アイテムの形状と類似する形状のバリエーションアイテムを取得し、前記アイテム又は前記バリエーションアイテムを製造する際に選択し得る製造条件を取得することを特徴とする自動見積り方法。
【請求項５】
入力端末を介して入力されたアイテムの形状データに基づいて、前記アイテムの形状及び寸法を認識する形状認識処理部と、
前記形状認識処理部によって認識された前記アイテムの形状及び寸法に基づいて、前記アイテムを製造する際に選択し得る公差を含む製造条件が格納された第１情報格納部と、
前記製造条件に対応する価格又は納期が格納された第２情報格納部と、
前記アイテムに対応する製造条件を前記第１情報格納部から取得し、選択された前記製造条件に対応する価格又は納期を前記第２情報格納部から取得する表示情報処理部と、
前記表示情報処理部が取得した前記製造条件を選択可能に表示端末に表示するとともに、選択された前記製造条件に対応する価格又は納期と、寸法及び公差を付した前記アイテムの３Ｄモデルとを前記表示端末に表示する表示処理部と
を備えることを特徴とするサーバ。
【請求項６】
請求項５に記載のサーバであって、
前記形状認識処理部で認識された前記アイテムの形状に基づいて、前記製造条件の一部のみを満足する又は前記アイテムの形状と類似する形状のバリエーションアイテムについての情報が格納されたバリエーション情報格納部を備え、
前記表示情報処理部は、前記アイテム及び前記バリエーションアイテムに対応する製造条件を前記第１情報格納部から取得し、選択された前記製造条件に対応する価格又は納期を前記第２情報格納部から取得し、
前記表示処理部は、前記表示情報処理部が取得した前記製造条件又は前記アイテム若しくは前記バリエーションアイテムを選択可能に表示端末に表示するとともに、選択されている前記製造条件及び前記アイテム若しくは前記バリエーションアイテムに対応する価格又は納期を前記表示端末に表示することを特徴とするサーバ。
【請求項７】
請求項５又は請求項６に記載のサーバ、入力端末及び表示端末を備えたことを特徴とする自動見積りシステム。
【発明の詳細な説明】
【技術分野】
【０００１】
本発明は、アイテムの製造条件から、そのアイテムの製造コスト及び納期の見積もりを自動的に行う自動見積り方法、サーバ、及び、自動見積りシステムに関する。
【背景技術】
【０００２】
従来、機械装置等を製造する際には、その機械装置等を構成するために用いる板金部品、切削部品、プレス部品、射出成形部品の対象物等（以下、総称して「アイテム」という。）を設計する段階で、そのアイテムについての製造コストや納期についての見積もりを行う必要がある。
【０００３】
そのようなアイテムの設計を支援するシステムとしては、ユーザが、インターネット等を通じてサーバに設計データを送信し、部品メーカが、その設計データに基づいて製造コスト及び納期について提示し、アイテムの製造を開始するという設計支援システムが知られている（例えば、特許文献１参照。）。
【先行技術文献】
【特許文献】
【０００４】
【特許文献１】特開２００３−１８１８４２号公報
【発明の概要】
【発明が解決しようとする課題】
【０００５】
ところで、一般に、アイテムは、用いられる機械装置等に応じて公差、材質、硬度、表面処理等の製造条件が異なる。そして、アイテムは、その製造条件によって、製造コストや納期が変化する。
【０００６】
しかし、従来の設計支援システムでは、設計データ作成の段階では製造条件を任意に変更することはできるものの、アイテムの製造コストや納期についての見積もりの段階では、製造条件が確定したデータのみを用いて処理が行われていた。
【０００７】
そのため、従来のシステムでは、製造コストや納期を考慮しつつ、アイテムの仕様を決定するといった総合的な判断を行うためには、ユーザが加工に関する専門的な知識を有していないと困難になるおそれがあった。
【０００８】
本発明は以上の点に鑑みてなされたものであり、価格及び納期を考慮しつつ、アイテムの仕様をユーザが容易に決定することができる自動見積り方法、サーバ及び自動見積りシステムを提供することを目的とする。
【課題を解決するための手段】
【０００９】
本発明の自動見積り方法は、入力端末を介してアイテムの形状データを取り込む第１工程と、形状データに基づいて、入力端末に入力されたアイテムの形状及び寸法を認識する第２工程と、認識されたアイテムの形状及び寸法に基づいて、アイテムを製造する際に選択し得る公差を含む製造条件を取得する第３工程と、製造条件を選択可能に表示端末に表示するとともに、表示された製造条件に対応する価格又は納期と、寸法及び公差を付したアイテムの３Ｄモデルを取得して表示端末に表示する第４工程と、入力端末を介して選択された製造条件に応じて、表示端末に表示される価格又は納期と、３Ｄモデルに付された寸法及び公差を更新する第５工程とを備えることを特徴とする。
【００１０】
また、本発明のサーバは、入力端末を介して入力されたアイテムの形状データに基づいて、アイテムの形状及び寸法を認識する形状認識処理部と、形状認識処理部によって認識されたアイテムの形状及び寸法に基づいて、アイテムを製造する際に選択し得る公差を含む製造条件が格納された第１情報格納部と、製造条件に対応する価格又は納期が格納された第２情報格納部と、アイテムに対応する製造条件を第１情報格納部から取得し、選択された製造条件に対応する価格又は納期を第２情報格納部から取得する表示情報処理部と、表示情報処理部が取得した製造条件を選択可能に表示端末に表示するとともに、選択された製造条件に対応する価格又は納期と、寸法及び公差を付したアイテムの３Ｄモデルを表示端末に表示する表示処理部とを備えることを特徴とする。
【００１１】
また、本発明の自動見積りシステムは、上記のサーバ、入力端末及び表示端末を備えたことを特徴とする。
【００１２】
このように、本発明の自動見積り方法、サーバ及び自動見積りシステムでは、入力された形状データからアイテムの形状を自動的に認識し、そのアイテムに対して選択し得る製造条件を提示する。そして、製造条件が変更された際には、それに対応する価格又は納期を提示する。すなわち、ユーザによる製造条件の変更に連動して、提示される価格又は納期が変更されるように構成されている。
【００１３】
そのため、本発明の自動見積り方法、サーバ及び自動見積りシステムによれば、ユーザが加工に関する専門的な知識を有していなくても、容易に、価格及び納期を考慮しつつ、アイテムの仕様を決定することができる。
【００１５】
また、本発明の自動見積り方法においては、第３工程で、認識されたアイテムの形状に基づいて、アイテムを製造する際に選択し得る製造条件、及び、製造条件に対応する価格又は納期の全てを取得することが好ましい。
【００１６】
このように、製造条件に対応する価格又は納期を表示端末に提示する前に事前に全パターン算出しておくように構成すれば、ユーザが製造条件を変更した際に、価格又は納期が表示されるまでのレスポンスが良くなる。
【００１７】
また、本発明の自動見積り方法においては、第５工程で、選択された製造条件を記憶し、次回の第４工程で、表示端末に選択可能に表示させる製造条件として、前記第５工程で記憶された製造条件を用いることが好ましい。
【００１８】
本発明を適用したシステムをユーザが複数回使用する場合には、このように、ユーザが前回の使用時に選択した製造条件を記憶し、その製造条件を次回の使用時に初期表示する製造条件にすれば、ユーザが選択を改めて行う手間を省略し得るようになる。
【００１９】
また、本発明の自動見積り方法においては、第３工程で、認識されたアイテムの形状に基づいて、製造条件の一部のみを満足する又はアイテムの形状と類似する形状のバリエーションアイテムを取得し、アイテム又はバリエーションアイテムを製造する際に選択し得る製造条件を取得することが好ましい。
【００２０】
また、本発明のサーバにおいては、形状認識処理部で認識されたアイテムの形状に基づいて、製造条件の一部のみを満足する又はアイテムの形状と類似する形状のバリエーションアイテムについての情報が格納されたバリエーション情報格納部を備え、表示情報処理部は、アイテム及びバリエーションアイテムに対応する製造条件を第１情報格納部から取得し、選択された製造条件に対応する価格又は納期を第２情報格納部から取得し、表示処理部は、表示情報処理部が取得した製造条件又はアイテム又はバリエーションアイテムを選択可能に表示端末に表示するとともに、選択されている製造条件及びアイテム又はバリエーションアイテムに対応する価格又は納期を表示端末に表示することが好ましい。
【００２１】
このように、製造条件を満足するアイテムだけではなく、製造条件の一部のみを満足する又はアイテムの形状と類似する形状のバリエーションアイテム（例えば、類似する形状のアイテムやいわゆる半加工品）についても、製造条件を提示するようにすれば、ユーザの選択の幅を広げることができる。
【図面の簡単な説明】
【００２２】
【図１】本発明の実施形態に係る自動見積りシステムの構成を示すブロック図。
【図２】図１の自動見積りシステムで行われる処理を示すフローチャート。
【図３】図２のＳＴＥＰ０１の際に表示画面に表示される画像の例を示す図。
【図４】図１のＳＴＥＰ０２の際に図１のシステムで行われる処理を示すフローチャート。
【図５】図１のＳＴＥＰ０３の後、表示画面に表示される画像の例を示す図。
【図６】図１のＳＴＥＰ０４でユーザが製造条件を選択する際に表示画面に表示される画像の模式図。
【図７】図１のＳＴＥＰ０８の際に表示画面に表示される画像の例を示す図。
【図８】図１のＳＴＥＰ０９でユーザが公差の変更を行う際に表示画面に表示される画像の例を示す図。
【図９】図１のＳＴＥＰ０９でユーザがアイテムの種類の変更を行う際に表示画面に表示される画像の例を示す図。
【図１０】図１のＳＴＥＰ１０の際に表示画面に表示される画像の例を示す図。
【発明を実施するための形態】
【００２３】
以下、図面を参照して、本発明の実施形態を説明する。
【００２４】
まず、図１を参照して、本実施形態の自動見積りシステムの構成について説明する。
【００２５】
本実施形態の自動見積りシステムは、ユーザ側情報端末１と、ユーザ側情報端末１にインターネット等の回線を通じて接続されたサーバ２とによって構成されている。
【００２６】
ユーザ側情報端末１は、液晶ディスプレイ等の各種ディスプレイによって構成された表示部１０（表示端末）と、キーボードやマウス等によって構成された入力部１１（入力端末）とを有する。サーバ２は、入力部１１を介して入力された情報を受信し、その情報に基づいて自動見積り処理を行い、その処理の結果をユーザ側情報端末１に送信する。
【００２７】
サーバ２は、ＣＰＵ、メモリ、各種インターフェース回路等により構成された電子ユニットであり、ネットワークを介して表示部１０及び入力部１１と接続されている。サーバ２は、形状認識処理部２１、形状パターン格納部２２、表示情報処理部２３、製造情報格納部２４（第１情報格納部）、バリエーション情報格納部２５、見積情報格納部２６（第２情報格納部）、ユーザ情報格納部２７及び表示処理部２８を有している。
【００２８】
形状認識処理部２１は、ユーザ側情報端末１の入力部１１を介して入力された機械装置等を構成するために用いる板金部品、切削部品、プレス部品、射出成形部品等（以下、総称して「アイテム」という。）の製造条件に基づいて、アイテムの形状を認識する処理を行う。
【００２９】
形状パターン格納部２２は、ユーザが入力した形状データに対応するアイテムの概形パターンを格納している。
【００３０】
表示情報処理部２３は、ユーザが入力部１１を介して入力した情報、形状認識処理部２１が認識したアイテムの形状、並びに、製造情報格納部２４、バリエーション情報格納部２５、見積情報格納部２６及びユーザ情報格納部２７から取得した情報に基づいて、表示すべき情報を決定する処理を行う。
【００３１】
製造情報格納部２４は、所定のアイテムを製造する際に選択し得る製造条件を格納している。
【００３２】
バリエーション情報格納部２５は、所定のアイテムに形状が類似するアイテム、及び、所定のアイテムの半加工品についての情報を格納している。
【００３３】
見積情報格納部２６は、製造条件に対応する生産技術要件、価格及び納期を格納している。
【００３４】
ユーザ情報格納部２７は、自動見積りシステムを利用するユーザが発注処理を行った際に、選択していたアイテムについての製造条件等の情報を格納する。
【００３５】
表示処理部２８は、表示情報処理部２３からの信号に従い、表示部１０の表示画面上に各種情報を表示する。
【００３６】
次に、図２〜図１０を参照して、本実施形態の自動見積りシステムにおいて行われる処理について説明する。
【００３７】
まず、ユーザは、入力部１１を介して、ユーザ名やファイル名等のユーザ情報及びアイテムの形状データをサーバ２に送信する（図２／ＳＴＥＰ０１）。
【００３８】
このＳＴＥＰ０１の際、表示部１０の表示画面上には、図３に示すような画像が表示される。ユーザが、その表示画面中の形状データ指定部１０ａを選択してデータファイルを指定して形状データを入力する、又は、形状データ入力部１０ｂに直接形状データを入力すると、入力された形状データは、インターネット回線を通じて、サーバ２の形状認識処理部２１に送信される。
【００３９】
なお、本実施形態の自動見積りシステムでは、アイテムの形状データとしては、寸法データを含む３ＤＣＡＤデータによる設計データを用いている。ただし、形状データは必ずしも寸法データを含む３ＤＣＡＤデータである必要はなく、２ＤＣＡＤデータの他、アイテムの形状と寸法を認識し得るデータであればよい。
【００４０】
また、ユーザが形状データを送信するのではなく、自動見積りシステムが提示した形状又は寸法の１つをユーザが選択し、自動見積りシステムがユーザの選択に対応する形状データを自動的に取得するようにしてもよい。
【００４１】
次に、自動見積りシステムの形状認識処理部２１は、受信した形状データに基づいて、形状認識処理を行う（図２／ＳＴＥＰ０２）。
【００４２】
この形状認識処理は、例えばアイテムがピンである場合、図４に示したフローチャートに記載の手順で行われる。
【００４３】
具体的には、まず、形状認識処理部２１は、ユーザが送信した形状データを受信すると、ユーザが指定したアイテムの種類（本実施例ではピン）に対応する概形パターンを、形状パターン格納部２２から取得する（図４／ＳＴＥＰ０２１）。
【００４４】
本実施形態において、概形パターンとは、アイテムの一般的な形状パターンであり、例えばアイテムの種類がピンである場合には、軸があり、その軸方向の一方側から順に、ツバ部、シャンク部、先端部を有するといったパターンである。
【００４５】
次に、形状認識処理部２１は、３ＤＣＡＤデータから、シャンク部の円筒形状を検索し、その円筒の軸をピンの軸として認識する（図４／ＳＴＥＰ０２２）。
【００４６】
最後に、形状認識処理部２１は、３ＤＣＡＤデータから、軸方向及び軸と直交する方向の各部における寸法（直径、全長等）を取得する（図４／ＳＴＥＰ０２３）。
【００４７】
以上の処理によって、形状認識処理部２１は、ユーザが入力した形状データに記載されたアイテムの形状及び各部の寸法を認識し、取得する。また、この形状認識処理とともに、選択し得る公差の算出も行われる。さらに、この形状認識処理とともに、生産技術要件のチェックも行われる。
【００４８】
次に、自動見積りシステムの表示情報処理部２３は、ユーザが入力したアイテムの種類、及び、形状認識処理部２１が認識したアイテムの形状に基づいて、選択し得る製造条件（例えば、材質、表面処理、公差レンジ等）を、製造情報格納部２４から取得する（図２／ＳＴＥＰ０３）。
【００４９】
そして、ＳＴＥＰ０３の後には、図５に示すように、サーバ２の表示処理部２８は、表示部１０の表示画面中のアイテム形状表示部１０ｃに認識したアイテムの概形を表示し、製造条件選択部１０ｄに材質、表面処理、公差レンジを選択可能な形式で表示する。
【００５０】
次に、図６に示すように、ユーザは、表示部１０の表示画面中の製造条件選択部１０ｄに表示された材質、表面処理、公差レンジのうちから任意の製造条件を、入力部１１を介して選択する（図２／ＳＴＥＰ０４）。
【００５１】
なお、ユーザは、この段階における製造条件の選択を省略することもできる。
【００５２】
そして、ＳＴＥＰ０４の後、ユーザは、表示部１０の表示画面中に表示されている見積開始部１０ｅを選択し、見積もり処理を開始させる信号をサーバ２に送信する。
【００５３】
次に、自動見積りシステムの表示情報処理部２３は、形状認識処理部２１が認識したアイテムの形状に基づいて、バリエーション情報格納部から、そのアイテムに形状が類似するアイテム、及び、製造条件の一部を満足するようなそのアイテムの半加工品（以下、総称して「バリエーションアイテム」という。）についての情報を検索し、取得する（図２／ＳＴＥＰ０５）。
【００５４】
次に、自動見積りシステムの表示情報処理部２３は、形状認識処理部２１が認識したアイテム及びバリエーションアイテムと選択し得る製造条件とを組み合わせた全パターンについての価格・納期を、見積情報格納部２６から取得する（図２／ＳＴＥＰ０６）。
【００５５】
具体的には、選択し得る公差等の製造条件に加え、アイテムを生産する際の生産技術要件を考慮しつつ、予め作成されたデータテーブルを参照して、価格・納期を算出する。
【００５６】
次に、自動見積りシステムの表示情報処理部２３は、ユーザが入力したユーザ名やファイル名等のユーザ情報に基づいて、ユーザ情報格納部２７に格納された情報の中から、そのユーザの登録情報を検索し、初期表示する製造条件を決定する（図２／ＳＴＥＰ００７）。
【００５７】
具体的には、登録情報が存在しており、製造条件の選択が省略されていた場合には、ユーザが前回の使用時に発注した際の製造条件を初期表示する製造条件として決定する。登録情報が存在せず、製造条件の選択が省略されていた場合には、所定の製造条件を初期表示する製造条件として決定する。ただし、登録情報が存在していた場合であっても、存在していなかった場合であっても、製造条件の選択を行なわれていた場合には、選択された製造条件を初期表示する製造条件として決定する。
【００５８】
次に、表示処理部２８は、表示情報処理部２３が取得した情報及び決定した情報に基づいて、アイテムの３Ｄモデルとともに、アイテムの製造条件を選択可能な形式で表示し、初期表示する条件に対応する価格・納期を表示する（図２／ＳＴＥＰ００８）。
【００５９】
具体的には、図７に示すように、表示処理部２８は、表示部１０の表示画面の略中央に、形状認識処理部２１が認識したアイテムのモデル及びそのモデルに寸法データに製造情報格納部２４から取得した公差を付した３Ｄモデル１０ｆを表示する。
【００６０】
また、表示処理部２８は、表示部１０の表示画面側方（図７においては図面右側）に、製造条件の１つである公差を変更するための公差変更部１０ｇを表示し、画面上方に、公差以外の製造条件を変更するための製造条件変更部１０ｈを表示し、製造条件変更部１０ｈにバリエーション選択ボタン１０ｉを表示し、製造条件変更部１０ｈのさらに上方に、価格・納期を提示するための価格・納期表示部１０ｊを表示し、画面右上に、発注指示部１０ｋを表示する。
【００６１】
次に、ユーザにより、公差やアイテムの種類といった製造条件が変更されたか確認する（図２／ＳＴＥＰ０９）。
【００６２】
このＳＴＥＰ０９で、例えば、公差を変更する場合には、図８に示すように、ユーザは、入力部１１を介して、公差変更部１０ｇで変更後の公差を選択する。
【００６３】
また、アイテムの種類を変更する場合には、図９に示すように、ユーザは、まず、入力部１１を介して、製造条件変更部１０ｈに設けられたバリエーション選択ボタン１０ｉを選択し、アイテムの種類を変更する信号を表示情報処理部２３に送信する。その信号を受信した表示情報処理部２３は、表示処理部２８に、バリエーション選択部１０ｌを表示させる信号を送信する。そして、ユーザは、そのようにして表示されたバリエーション選択部１０ｌに表示されたアイテムの中から、任意のアイテムを選択する。
【００６４】
次に、製造条件が変更された場合（図２／ＳＴＥＰ０９でＹＥＳの場合）には、表示情報処理部２３は、既に取得していた価格・納期の中から対応するものを選択し、表示処理部２８に、それを表示させる信号を送信する。そして、表示処理部２８は、表示部１０の表示画面上の価格・納期を更新する（図２／ＳＴＥＰ１０）。
【００６５】
具体的には、図１０に示すように、表示画面中の価格・納期表示部１０ｊの表示を変更する。また、公差が変更されていた場合には、３Ｄデータの寸法に付されている公差も同時に変更する。
【００６６】
次に、ユーザにより、再度、公差やアイテムの種類といった製造条件が変更されたか確認する（図２／ＳＴＥＰ１１）。
【００６７】
そして、製造条件が変更された場合（図２／ＳＴＥＰ１１でＹＥＳの場合）には、ＳＴＥＰ１０に戻り、同様の手順で価格・納期の更新が行われる。
【００６８】
一方、製造条件が変更されなかった場合（図２／ＳＴＥＰ０９でＮＯの場合、又は、ＳＴＥＰ１１でＮＯの場合）には、価格・納期の更新は行われない。
【００６９】
次に、製造条件を変更する必要がなくなり、ユーザによって、表示部１０の表示画面中の発注指示部１０ｋが選択された際には、発注処理が行われる（ＳＴＥＰ１２）。
【００７０】
最後に、表示情報処理部２３は、最終的に発注が行われた際の製造条件を、ユーザ情報とともに、ユーザ情報格納部２７に格納する（ＳＴＥＰ１３）。
【００７１】
以上のように、本実施形態の自動見積りシステムでは、入力された形状データからアイテムの形状を自動的に認識した後、その形状のアイテムに対して選択し得る製造条件を提示する。そして、製造条件が選択された際には、それに対応する価格及び納期を提示する。すなわち、ユーザによる製造条件の変更に連動して、提示される価格及び納期を変更するように構成されている。
【００７２】
そのため、本実施形態の自動見積りシステムによれば、ユーザが加工に関する専門的な知識を有していなくても、容易に、価格及び納期を考慮しつつ、アイテムの仕様を決定することができる。
【００７３】
以上、図示の実施形態について説明したが、本発明はこのような形態に限られるものではない。
【００７４】
例えば、上記実施形態においては、表示部１０及び入力部１１とサーバ２とを、インターネット回線を通じて接続している。しかし、本発明は必ずしもそのような構成にする必要はなく、１つの端末として構成してもよい。
【００７５】
また、上記実施形態においては、表示部１０と入力部１１とを別体として構成しているが、本発明は必ずしもそのような構成にする必要はなく、表示端末を介して提示されたデータを、入力端末を介してユーザが選択できるものであればよい。例えば、タッチパネル等を入力端末及び出力端末として用いてもよい。
【００７６】
また、上記実施形態においては、製造条件として、公差、材質、表面処理、アイテムの種類を選択可能に構成されている。しかし、本発明は必ずしもそのような構成にする必要はなく、それらのうちのいずれか１のみを選択可能としてもよいし、価格や納期に影響を与える他の製造条件を選択可能にしてもよい。
【００７７】
また、上記実施形態においては、価格及び納期を変更可能に提示している。しかし、本発明は必ずしもそのような構成にする必要はなく、価格又は納期のいずれかのみを提示するようにしてもよい。
【００７８】
また、上記実施形態においては、図２／ＳＴＥＰ０６において、製造条件とアイテムの形状との組み合わせの全パターンについて価格・納期を取得するように構成し、レスポンスの向上を図っている。しかし、本発明は必ずしもそのような構成にする必要はなく、初期条件として表示する製造条件に対応する価格・納期のみを取得しておき、他の価格・納期は製造条件の変更が行われた際に取得するようにしてもよい。
【００７９】
また、上記実施形態においては、図２／ＳＴＥＰ０７及びＳＴＥＰ１３において、ユーザの前回使用時の情報を取得及び記憶し、初期状態で表示する製造条件を決定している。しかし、本発明ではこのような学習機能は省略してもよい。
【符号の説明】
【００８０】
１…ユーザ側情報端末、１０…表示部（表示端末）、１０ａ…形状データ指定部、１０ｂ…形状データ入力部、１０ｃ…アイテム形状認識部、１０ｄ…製造条件選択部、１０ｅ…見積り開始部、１０ｆ…３Ｄモデル、１０ｇ…公差変更部、１０ｈ…製造条件変更部、１０ｉ…バリエーション選択ボタン、１０ｊ…価格・納期表示部、１０ｋ…発注指示部、１０ｌ…バリエーション選択部、１１…入力部（入力端末）、２…サーバ、２１…形状認識処理部、２２…形状パターン格納部、２３…表示情報処理部、２４…製造情報格納部（第１情報格納部）、２５…バリエーション情報格納部、２６…見積情報格納部（第２情報格納部）、２７…ユーザ情報格納部、２８…表示処理部、
【要約】
【課題】価格及び納期を考慮しつつ、アイテムの仕様をユーザが容易に決定することができる自動見積り方法を提供すること。
【解決手段】自動見積り方法は、アイテムの形状データを取り込む第１工程（ＳＴＥＰ０２、形状データに基づいてアイテムの形状を認識する第２工程（ＳＴＥＰ０２）と、認識された形状に基づいて選択し得る製造条件を取得する第３工程（ＳＴＥＰ０６）と、製造条件及び対応する価格・納期を表示する第４工程（ＳＴＥＰ０８）と、製造条件の変更に応じて表示される価格・納期を更新する第５工程（ＳＴＥＰ０９，ＳＴＥＰ１０）とを備える。
【選択図】図２【図１】
0005753621.tif 000002
【図２】
0005753621.tif 000003
【図３】
0005753621.tif 000004
【図４】
0005753621.tif 000005
【図５】
0005753621.tif 000006
【図６】
0005753621.tif 000007
【図７】
0005753621.tif 000008
【図８】
0005753621.tif 000009
【図９】
0005753621.tif 000010
【図１０】
0005753621.tif 000011